(57)【要約】【課題】流体流を利用するものの従来の機構とは異なる形式でもってマッサージ効果を得る。【解決手段】器具本体２，３と、器具本体に回転可能に保持される回転体４とを具備する。器具本体に流体を流すための流路３ｐが形成され、回転体にも流体を流すための流路が形成されている。回転体の流路が入口開口４ｉと出口開口４ｄとを有する。回転体が器具本体に回転可能に保持されたときに回転体の流路の入口開口が器具本体の流路に整列し、器具本体の流路から放出される流体が入口開口から回転体の流路内に流入し、回転体の流路の出口開口から流体が放出される。回転体の流路の入口開口が回転体の回転軸線Ｃ上にて開口する。回転体の流路がその入口開口近傍においては回転体の回軸軸線に沿って延在し、その出口近傍においては回転体の回転軸線に対して斜めであって且つ該回転体の径方向に沿っていない方向へ延在する。【選択図】　図１
2004049823.tif 000002
【特許請求の範囲】
【請求項１】
器具本体と、該器具本体に回転可能に保持される回転体とを具備し、上記器具本体に流体を流すための流路が形成されていると共に、上記回転体にも流体を流すための流路が形成されており、該回転体の流路がそこに流入する流体を受け入れるための入口開口と、斯くして受け入れた流体を当該流路から放出するための出口開口とを有し、回転体が器具本体に回転可能に保持されたときに該回転体の流路の入口開口が器具本体の流路に整列し、該器具本体の流路から放出される流体が該入口開口から回転体の流路内に流入し、回転体の流路の出口開口から流体が放出されるようになっているマッサージ器具において、上記回転体の流路の入口開口が該回転体の回転軸線上にて開口しており、該回転体の流路がその入口開口近傍においては回転体の回軸軸線に沿って延在すると共に、その出口近傍においては回転体の回転軸線に対して斜めであって且つ該回転体の径方向に沿っていない方向へ延在することを特徴とするマッサージ器具。
【請求項２】
上記回転体の流路がその出口開口近傍においては回転体の回転軸線に対して斜めであって且つ該回転体の回転方向に対してほぼ接線方向に沿って延在することを特徴とする請求項１に記載のマッサージ器具。
【請求項３】
上記回転体の流路がその出口開口近傍において回転体の回転軸線に対して斜めであって且つ該回転体の径方向と該回転体の回転方向に対して接線方向との間の方向に沿って延在することを特徴とする請求項２に記載のマッサージ器具。
【請求項４】
上記回転体が器具本体に保持されたときに上記回転体の流路の入口開口に対面する出口開口を上記器具本体の流路が有し、該器具本体の流路の出口開口の面積が回転体の流路の入口開口の面積よりも小さいことを特徴とする請求項１に記載のマッサージ器具。
【請求項５】
上記器具本体の流路の出口開口の面積が回転体の流路の入口開口の面積の５０〜９０パーセントであることを特徴とする請求項４に記載のマッサージ器具。
【請求項６】
上記器具本体の流路の出口開口の面積が回転体の流路の入口開口の面積よりも僅かばかり小さいことを特徴とする請求項５に記載のマッサージ器具。
【請求項７】
上記回転体が器具本体に保持されたときに上記回転体の流路の入口開口に対面する出口開口を上記器具本体の流路が有し、回転体が器具本体に保持されたときに該回転体の流路の入口開口が器具本体の流路の出口開口から離間していることを特徴とする請求項１に記載のマッサージ器具。
【請求項８】
上記回転体が器具本体に保持されたときに該回転体の流路の入口開口が器具本体の流路の出口開口から僅かばかり離間していることを特徴とする請求項７に記載のマッサージ器具。
【請求項９】
上記流体が水であることを特徴とする請求項１に記載のマッサージ器具。
【請求項１０】
上記水が水道水であることを特徴とする請求項９に記載のマッサージ器具。
【発明の詳細な説明】
【０００１】
【発明の属する技術分野】
本発明は、マッサージ器具に関する。
【０００２】
【従来の技術】
例えば、特開平５−１１５５２０号公報に、水流を利用してマッサージ効果を得るためのマッサージシャワーヘッドが開示されている。当該公報に記載のマッサージシャワーヘッドでは、そこから水流を断続的に噴出させることによって、マッサージ効果を得るようになっている。
【０００３】
【発明が解決しようとする課題】
このように、従来から、水流を利用し、広くは、流体流を利用してマッサージ効果を得ようという試みがなされている。そこで、本発明の目的は、流体流を利用するものの従来の機構とは異なる形式でもってマッサージ効果を得ることにある。
【０００４】
【課題を解決するための手段】
上記課題を解決するために、１番目の発明では、器具本体と、該器具本体に回転可能に保持される回転体とを具備し、上記器具本体に流体を流すための流路が形成されていると共に、上記回転体にも流体を流すための流路が形成されており、該回転体の流路がそこに流入する流体を受け入れるための入口開口と、斯くして受け入れた流体を当該流路から放出するための出口開口とを有し、回転体が器具本体に回転可能に保持されたときに該回転体の流路の入口開口が器具本体の流路に整列し、該器具本体の流路から放出される流体が該入口開口から回転体の流路内に流入し、回転体の流路の出口開口から流体が放出されるようになっているマッサージ器具において、上記回転体の流路の入口開口が該回転体の回転軸線上にて開口しており、該回転体の流路がその入口開口近傍においては回転体の回軸軸線に沿って延在すると共に、その出口近傍においては回転体の回転軸線に対して斜めであって且つ該回転体の径方向に沿っていない方向へ延在する。ここで、回転体は、後述する実施形態において、回転体とチューブとの組立体である。また、ここで、器具本体は、後述する実施形態において、第１の器具本体と第２の器具本体との組立体である。
【０００５】
２番目の発明では、１番目の発明において、上記回転体の流路がその出口開口近傍においては回転体の回転軸線に対して斜めであって且つ該回転体の回転方向に対してほぼ接線方向に沿って延在する。
【０００６】
３番目の発明では、２番目の発明において、上記回転体の流路がその出口開口近傍において回転体の回転軸線に対して斜めであって且つ該回転体の径方向と該回転体の回転方向に対して接線方向との間の方向に沿って延在する。
【０００７】
４番目の発明では、１番目の発明において、上記回転体が器具本体に保持されたときに上記回転体の流路の入口開口に対面する出口開口を上記器具本体の流路が有し、該器具本体の流路の出口開口の径が回転体の流路の入口開口よりも小さい。
【０００８】
５番目の発明では、４番目の発明において、上記器具本体の流路の出口開口の面積が回転体の流路の入口開口の面積の５０〜９０パーセントである。
【０００９】
６番目の発明では、５番目の発明において、上記器具本体の流路の出口開口の面積が回転体の流路の入口開口の面積よりも僅かばかり小さい。
【００１０】
７番目の発明では、１番目の発明において、上記回転体が器具本体に保持されたときに上記回転体の流路の入口開口に対面する出口開口を上記器具本体の流路が有し、回転体が器具本体に保持されたときに該回転体の流路の入口開口が器具本体の流路の出口開口から離間している。
【００１１】
８番目の発明では、７番目の発明において、上記回転体が器具本体に保持されたときに該回転体の流路の入口開口が器具本体の流路の出口開口から僅かばかり離間している。
【００１２】
９番目の発明では、１番目の発明において、上記流体が水である。
【００１３】
１０番目の発明では、９番目の発明において、上記水が水道水である。
【００１４】
【発明の実施の形態】
以下、図面を参照して、本発明を説明する。図１は、本発明のマッサージ器具の縦断面図である。マッサージ器具１は、第１の器具本体２と、第２の器具本体３と、回転体４とを具備する。第２の器具本体３は第１の器具本体２に接続されており、また、回転体４はその中心軸線Ｃ周りで回転可能に第１の器具本体２に保持されている。
【００１５】
図２（Ａ）に第１の器具本体を示した。第１の器具本体２はほぼ円筒形をなす。また、第１の器具本体２は、一方の端面近傍に円筒形の第１の凹部５を有すると共に、他方の端面近傍に円筒形の第２の凹部６を有する。第１の凹部５には第２の器具本体３が挿入される。一方、第２の凹部６には回転体４が挿入される。さらに、第１の器具本体２は、第１の凹部５と第２の凹部６との間の領域に、雌型の係止部分７を有する。
【００１６】
図２（Ｂ）に第２の器具本体を示した。第２の器具本体３はその内部に流体を通すための流路３ｐを有する。また、第２の器具本体３はその一端に円筒形の端部９を有する。図１に示されているように、この第２の器具本体３の端部９が、第１の器具本体２の第１の凹部５に嵌挿せしめられる。なお、図１に示されているように、第１の器具本体２と第２の器具本体３との間には、これらを流密に保つためのＯリング１０が嵌挿されている。
【００１７】
図３（Ａ）に回転体を示した。回転体４は、円筒形のヘッド部分１１と、円筒形のボディ部分１２と、雄型の係止部分１３とを有する。図１に示されているように、回転体４が第１の器具本体２の第２の凹部６内に挿入されたときに、回転体４のヘッド部分１１がこの第２の凹部６に嵌挿せしめられる。また、回転体４が第１の器具本体２の第２の凹部６内に挿入されたときには、回転体４の係止部分１３と第１の器具本体２の係止部分７とがスナップ式に係合し、これによって、回転体４が第１の器具本体２から外れることが防止され、そこに保持される。
【００１８】
また、図３（Ｂ）および図３（Ｃ）に示したように、回転体４はそのヘッド部分１１に貫通孔１４を有する。貫通孔１４は、ヘッド部分１１の底壁面１１ｂに底部開口を有すると共に、ヘッド部分１１の頂壁面１１ｔに頂部開口を有する。これら底部開口および頂部開口はヘッド部分１１の外周縁１１ｐ近傍にて開口している。また、貫通孔１４は、ヘッド部分１１の底壁面１１ｂからヘッド部分１１の頂壁面１１ｔに向かって、回転体４の回転軸線Ｃに対して斜めに且つ回転体４の回転方向に対して接線方向に沿って延びている。
【００１９】
また、回転体４は凹部１５を有する。回転体４の凹部１５はその係止部分１３近傍においては回転体４の回転軸線Ｃに沿って延び、その後、回転体４の回転軸線Ｃから離れて回転体４の径方向外方へと延びる。図１に示されているように、この回転体４の凹部１５内には、ゴムのような弾性材料から作製されるチューブが１６配置される。また、チューブ１６の先端部が回転体４の貫通孔１４内に挿入される。このように、チューブ１６が回転体４に取り付けられることによって、流体を流すための流路が回転体４に形成されることとなる。
【００２０】
したがって、回転体４の流路４ｐはその係止部分１３近傍においては回転体４の回転軸線Ｃに沿って延び、その後、回転体４の回転軸線Ｃから離れて回転体４の径方向外方へと延び、そして、その後、回転体４の回転軸線Ｃに対して斜めに且つ回転体４の回転方向に対して接線方向に沿って延びる。
【００２１】
ところで、図１に示されているように、これら第１の器具本体２と第２の器具本体３と回転体４とが組み立てられたときには、第２の器具本体３の流路３ｐの端部開口（以下、出口開口と称す）３ｄが、チューブ１６によって形成される回転体４の流路４ｐの端部開口（以下、入口開口と称す）４ｉに整列する。この入口開口４ｉは回転体４の回転軸線Ｃ上にて開口している。
【００２２】
流体は第２の器具本体３の流路３ｐ内に比較的高い圧力をもって供給され、この流路３ｐ内を流れ、その出口開口３ｄから放出される。放出された流体は、回転体４の流路４ｐの入口開口４ｉ内へと流入し、回転体４の流路４ｐ内を流れる。そして、回転体４のヘッド部分１１にて開口する回転体４の流路４ｐの端部開口（以下、出口開口と称す）４ｄから放出される。
【００２３】
ここで、回転体４の流路４ｐはその出口開口４ｄ近傍において回転体４の回転軸線Ｃに対して斜めに且つ回転体４の回転方向に対して接線方向に沿って延びているので、回転体４はその流路から放出される流体の反力によって回転せしめられる。そして、これによって、流体流も回転しながら回転体４から放出される。このように、回転しながら放出される流体流を或る物体に当てたときには、その流体流が当たる物体の各領域においては、流体流から断続的な圧力を受けることとなる。したがって、この回転体４から流出する流体流を、例えば、人の肩に当てることによって、人にはマッサージ効果が与えられることとなる。
【００２４】
ところで、本発明では、第２の器具本体３の流路３ｐの出口開口３ｄの面積が、回転体４の流路４ｐの入口開口４ｉの面積よりも小さくなっている。好ましくは、第２の器具本体３の流路３ｐの出口開口３ｄの面積は、回転体４の流路４ｐの入口開口４ｉの面積の５０〜９０％である。詳細には、第２の器具本体３の流路３ｐの出口開口３ｄの面積は、回転体４の流路４ｐの入口開口４ｉの面積よりも僅かばかり小さければよいが、約７０パーセントとなっているのが好ましい。これによれば、第２の器具本体３の流路３ｐの出口開口３ｄから放出される流体のほとんど全てが回転体４の流路４ｐの入口開口４ｉに流入することとなる。
【００２５】
また、本発明では、第２の器具本体３の流路３ｐの出口開口３ｄが、回転体４の流路４ｐの入口開口４ｉから離間している。詳細には、第２の器具本体３の流路３ｐの出口開口３ｄは、回転体４の流路４ｐの入口開口４ｉから僅かばかり離間している。
【００２６】
また、本発明のマッサージ器具１内を流す流体としては、液体であっても、気体であってもよい。マッサージ器具１内を流す液体としては、例えば、水または温水である。これら水や温水は水道の蛇口から得られるものであることが好ましい。また、本発明のマッサージ器具１内を流す気体としては、例えば、空気である。
【００２７】
なお、本発明においては、回転体４の流路４ｐは、その出口開口４ｄ近傍において、回転体４の回転軸線Ｃに対して斜めに且つ回転体４の径方向と回転体４の回転方向に対して接線方向との間の方向に沿って延びていればよい。これによっても、回転体４から放出される流体流からマッサージ効果を得ることができる。
【００２８】
また、本発明においては、回転体４の流路４ｐは、その出口開口４ｄ近傍において、回転体４の回転軸線Ｃに対して斜めに且つ回転体４の回転方向に対してほぼ接線方向に沿って延びていればよい。これによっても、回転体４から放出される流体流からマッサージ効果を得ることができる。
【００２９】
さらに、本発明においては、回転体４の流路４ｐは、その出口開口４ｄ近傍において、回転体４の回転軸線Ｃに対して斜めに且つ回転体４の径方向に沿っていない方向に延びていればよい。これによっても、回転体４から放出される流体流からマッサージ効果を得ることができる。
【００３０】
【発明の効果】
本発明によれば、回転体の流路の出口開口から流出する流体から、マッサージ効果が得られる。
【図面の簡単な説明】
【図１】本発明のマッサージ器具の縦断面図である。
【図２】（Ａ）は本発明のマッサージ器具の第１の器具本体部分の縦断面図であり、（Ｂ）は本発明のマッサージ器具の第２の器具本体部分の縦断面図である。
【図３】（Ａ）は本発明のマッサージ器具の回転体の縦断面図であり、（Ｂ）は本発明のマッサージ器具の回転体の端面図であり、（Ｃ）は図３（Ｂ）の線Ｃ−Ｃに沿った部分断面図である。
【符号の説明】
１…マッサージ器具
２…第１の器具本体
３…第２の器具本体
４…回転体
１６…チューブ
【図１】
2004049823.tif 000003
【図２】
2004049823.tif 000004
【図３】
2004049823.tif 000005